(57)【要約】【課題】  空気中特に室内など密閉された空間の細菌など炭素を含む微生物を死滅させる、放電技術と発電は原理が分からずに発展していますが、原理が分からないと構造的な発展などが出来ずに現在に至りました。【解決手段】  細菌などから炭素を酸化し分子構造を構築して細菌などから炭素を奪い死滅させるが、自由電子が通電物質である炭素に優先的に入り込むためで、人体など細菌などから防衛する機能に類似するため人体などには無害で有り、また自由電子など電子が移動する事で電気が発生しますが、電子などが通過する道を作る事で発電が可能です。【選択図】図１
2019072445.tif 000002
【特許請求の範囲】
【請求項１】
請求項１に記載の発明は、大気が磁気を通過する時点で電子方向が定められて磁束に捕まった分子と捕まらない分子とで速度に差を付けて、分子と分子をぶつける事での電摩擦により自由電子を作る。
つまり気体通過時に磁石間の磁束に一時的とらわれた分子や原子と、とらえられない分子や原子とで速度差が生じて摩擦が発生し自由電子が発生する。
【請求項２】
請求項２に記載の発明は、自由電子は優先順位より炭素など通電物質に入り負極電子として反応物質があれば磁束を発生して、正極で有る酸素などを引き込み分子化する事で磁束を発生させて分離して、細菌などから自由電子など電子と炭素などを奪い死滅させる。
【請求項３】
請求項３に記載の発明は、人体など皮脂を発生させる生物は通電物質で表皮を包み、静電気など自由電子を持っていて、細菌など被覆された通電物質が接すると細菌などの炭素に静電気など自由電子が通電して負極になり、反応物質があれば磁束を発生させ正極で有る酸素などを引き込み分子化して細菌などから炭素を奪い死滅させる、人体などに防衛機能があり、通電機能を損なえば細菌などが侵入する事に成る。
【請求項４】
請求項４に記載の発明は、大気など空気や水（海水）を２以上に分けて、それを交わらせる事により、分子同士で電子摩擦を起こさせ自由電子など電子が発生する。
また水などをかき混ぜる事や、泡などの気泡で電子摩擦が起きて自由電子など電子が発生する事になるが、固体同士や液体など分子や原子などが接する事でも自由電子など電子が発生する。
【請求項５】
請求項５に記載の発明は、請求項１〜４に記載の自由電子など電子が電磁誘導などで移動して周回する道を作る事で電気を作る事に成るが、電子が移動するために終わりのない通り道を電磁誘導などで作る事で電力として利用出来るが、電子を熱移動や光移動そして電子が多い方に少ない電子が吸収させれる事で移動する事で、自由電子などを一方的送る事で自由電子が複数に成り回転させる事で加熱するが、少ない回転で磁束上に電子の数量を増やす事で個々の自由電子など電子が接する回数が増えて回転数が増加した状態と同様になる。
【請求項６】
請求項６に記載の発明は、電気を使用しない永久磁石は、自由電子など電子が存在しないため、反応物質存在が現れてから磁石と反応物質に存在する自由電子など電子を利用して磁束を発生させるために、永久磁石に自由電子など電子を侵入させる事で電気などを使用する電磁石と同様に使用できる。
【発明の詳細な説明】
【技術分野】
【０００１】  医療分野や家庭環境などで細菌など炭素を含む物質から炭素を奪い、無力化する技術と発電に関する
【背景技術】
【０００２】  電子を放電して細菌など炭素を含む物質を死滅させる事や酸素を使う殺菌方法に関して原理や法則を知らないで使用して来て、電気については原理や法則などを知らずに、どちらも作用や現象などで利用してきました。
【発明の概要】
【発明が解決しようとする課題】
【０００３】  空気中、特に室内の炭素を含む細菌などから、人体などの生物に影響を及さないで炭素などを酸素化合分子と形成して炭素などを奪い死滅させる。
そして偶然に電気を発生させたコイル巻く電磁誘導発電を現在使用しているために、電気の正体が分からずに発展して来ました。
【課題を解決するための手段】
【０００４】  電子の特性を生かし通電物質に電子を最初に流し、電子が通っている通電質に寄って来る酸素で分子構造を形成して細菌から炭素を奪い死滅させが、同様構造を持つ複数細胞生物には影響を及ばず、人体などが持つ細菌防衛構造を人工的に作り、それを空気中に作り細菌などから炭素奪い死滅させる新原理や新法則に基づき解決する事と、電気について自由電子など電子を作り磁束など電子などの通り道を作り発電する方法に基づいて解決する。【０００５】  請求項１に記載の発明は、電子が風などで通過する時に磁石の磁束に捕らわれる分子と、磁束に捕らわれないで通過する分子などや、捕らわれた分子などにぶつかり電子的な摩擦が生じて、自由電子など電子を発生させる。【０００６】  請求項２に記載の発明は、自由電子など電子が通電物質などに最初に侵入する特性から通電物質である炭素に侵入し、負極特性を持ち正極特性を持つ原子や分子が近づくと磁束を発生させて引き込み磁束を周囲に巡らせ分子構成し、細菌などから炭素などを抜き取り死滅させる。【０００７】  請求項３に記載の発明は、人体など複数の細胞を持つ生物は、外部から侵入する細菌などを死滅させるために通電させる皮脂を持ち、細菌など炭素を持つ菌が皮膚に付くと、皮脂などを伝い静電気などが炭素などに侵入に酸素など取り込み細菌などから炭素を奪い死滅させる。【０００８】  請求項４に記載の発明は、大気など気体以外の原子や分子が衝突すれば、自由電子など電子が発生する、例えば積乱雲など雲や滝そして船舶のスクリュウーの周囲は原子や分子が衝突する場所で、電子摩擦が発生し自由電子など電子が発生する。【０００９】  請求項５に記載の発明は、請求項１から４で自由電子など電子が発生し、電磁誘導などで自由電子など電子を誘導し終わり無い状態を磁束などで作れば発電でき、電磁誘導や光移動や熱移動などや自由電子など電子が少数から多数に移動する特徴で放電や吸電ができる。【００１０】  請求項６に記載の発明は、分子構造には、分子が発生している磁束で結合しているが、自由電子など電子が無くなれば、構造や特徴が無くなるが、構造体分子に反応する物質が現れると、間に存在する自由電子など電子が磁束に流れる事で磁気的特徴が現れる、
つまり自由電子など電子を外部から取り入れる事で、電子方向などを閉じ込めた永久磁石などが、電気を使い磁束を発生させている電磁石と同等の特徴を持つ事に成る。
【発明の効果】
【００１１】  現在の物理学や量子力学で解けていない、問題の解読に貢献が出来る。
【図面の簡単な説明】
【００１２】
【図１】磁石かんの断面図
【図２】細菌の断面図
【図３】細菌と酸素の断面図
【図４】細菌から炭素を奪う様子の断面図
【図５】皮膚などと細菌や自由電子などの断面図
【図６】回転しているスクリューの断面図
【図７】回転しているスクリューと吸電子板の断面図
【図８】分子に磁束が含まれる分子の断面図
【発明を実施するための形態】
【００１３】  以下、本発明の実施の形態を図１〜図に基づいて説明する。
【実施例】
【００１４】  図において、１は磁石間に発生している磁束に空気中の分子や原子が捕えられ、磁束に捕えられない空気とで摩擦が生じている状態を表している。【００１５】  ２は細菌内に放電された自由電子など電子が入り込む様す。【００１６】  ３は細菌内の炭素に入り込んだ自由電子など電子が磁束を発生し反応する酸素などを引き込み結合する様す。【００１７】  ４は細菌から炭素を奪う様す。【００１８】  ５は皮膚などが細菌などから静電気など電子を使い防衛する様す。【００１９】  ６は回転しているスクリューの周囲で発生している静電気など自由電子など電子が発生している様す。【００２０】  ７は回転しているスクリューの周囲から吸電子板を使い、静電気など自由電子など電子を吸収している様す。【００２１】  ８は活性化している分子の周囲に存在する自由電子など電子
【産業上の利用可能性】
【００２２】  現在のエネルギー問題を解決し、船舶のスクリューの周囲で発生している静電気を電気に変換する事や、省電力で電子レンジなど放電技術も貢献できる。
【符号の説明】
【００２３】１      風の方向
２      磁石
３      磁束
４      自由電子など電子
５      細菌など
６      炭素など通電物質
７      自由電子など電子が向かう方向
８      酸素など
９      磁束
１０    酸素など向かう方向
１１    分子化され細菌などから離れる
１２    炭素など通電物質に向かう方向
１３    皮脂など通電物質
１４    皮膚
１５    スクリューなど電子的摩擦を起こさせる物質
１６    静電気などの自由電子などに代表される電子を吸収する通電物質
１７    分子
【図１】
2019072445.tif 000003
【図２】
2019072445.tif 000004
【図３】
2019072445.tif 000005
【図４】
2019072445.tif 000006
【図５】
2019072445.tif 000007
【図６】
2019072445.tif 000008
【図７】
2019072445.tif 000009
【図８】
2019072445.tif 000010